(57)【要約】【課題】換気送風機などに使用される遠心送風機で、オリフィスの開口部径を変更可能とすることで、騒音を低減する遠心送風機を提供することを目的とする。【解決手段】外郭３内に、羽根車５を連結した電動機６と、羽根車５の周囲を囲み一面にベルマウス状の吸込み口７を有するケーシング１０と、吸込み口７と同心円で吸込み口７と同等の直径の開口部１７を有するベルマウス状のオリフィス１８とを備え、オリフィス１８により形成される共鳴空間１９により吸込み口７から放出される騒音を共鳴消音する遠心送風機１で、開口部径Ｄｏが変更可能である遠心送風機１とすることにより、最適な開口部径Ｄｏに変更することで、騒音を低減することができる遠心送風機を得られる。【選択図】図１
2010090767.tif 000002
【特許請求の範囲】
【請求項１】
開口を備えた外枠内に、回転軸を中心に回動可能に羽根車を連結した電動機と、前記羽根車の周囲を囲み吸込み口を有するケーシングと、前記外枠の前記開口と連通する開口部を有するオリフィスと、前記ケーシングの下端と前記オリフィスの端部との間に間隙部を備え、前記オリフィスにより形成される共鳴空間と間隙部により前記吸込み口から放出される騒音を共鳴消音する遠心送風機で、開口部径が変更可能であることを特徴とする遠心送風機。
【請求項２】
開口部がベルマウス形状であることを特徴とする請求項１に記載の遠心送風機。
【請求項３】
開口部径が自動変更されることを特徴とする請求項１または２に記載の遠心送風機。
【請求項４】
吸込み口から放射される騒音の変化に対して、最適な開口部径に変更されることを特徴とする請求項１〜３いずれかに記載の遠心送風機。
【請求項５】
遠心送風機の風量を測定する風量検知手段を備え、測定した風量に応じて開口部径が変更されることを特徴とする請求項１〜４いずれかに記載の遠心送風機。
【請求項６】
開口部から放射される騒音を測定する騒音検知手段を備え、測定される騒音値を最小とするように開口部径が変更されることを特徴とする請求項１〜４いずれかに記載の遠心送風機。
【請求項７】
羽根車の回転数を測定する回転数検知手段を備え、回転数に起因する騒音の周波数に対して、強い消音効果が働く開口部径に変更されることを特徴とする請求項１〜４いずれかに記載の遠心送風機。
【請求項８】
オリフィスが、回転軸方向に伸びるオリフィス外壁を備え、前記オリフィス外壁が開口部と同心円の円筒壁であることを特徴とする請求項７に記載の遠心送風機。
【請求項９】
電動機の出力を任意に変更することができ、出力の変更に応じて最適な開口部径に変更されることを特徴とする請求項１〜８いずれかに記載の遠心送風機。
【請求項１０】
施工時に開口部径を変更することができるつまみと、排気ダクトの長さに応じた最適な開口部径に設定するつまみの位置を記す目印を備える請求項１または２に記載の遠心送風機。
【請求項１１】
オリフィスが周方向に複数に分割され、分割されたオリフィス同士を離すようにスライド移動させると露出する延長部を備えることを特徴とする請求項１〜１０いずれかに記載の遠心送風機。
【請求項１２】
ケーシングが渦巻き状のスクロールケーシングであることを特徴とする請求項１〜１１いずれかに記載の遠心送風機。
【発明の詳細な説明】
【技術分野】
【０００１】
本発明は、換気送風機器等に使用される遠心送風機に関するものである。
【背景技術】
【０００２】
従来、この種の遠心送風機は、天井埋込型換気扇などに用いられ、ベルマウス状の吸込み口を有する吸込ケーシングとは別のオリフィスを外郭の一面の開口に備えたものが知られている（例えば、特許文献１参照）。
【０００３】
以下、その遠心送風機について図９を参照しながら説明する。
【０００４】
図１２に示すように一面を開口した外郭１０１と、この外郭１０１内の天面１０２に羽根車１０３を固着した電動機１０４と、羽根車１０３の周囲を取り囲むケーシング１０５と、吸込み口１０６を有する吸込みケーシング１０７とを備える遠心送風機は、吸込み口１０６より同等あるいは小さな開口部１０８を有するオリフィス１０９を吸込ケーシング１０７の下端１１０とオリフィス１０９の端部１１１とを間隙寸法ｉの間隙１１２を隔てて設けて共鳴空間１１３を構成している。また、このオリフィス１０９の一面にグリル１１４と、外郭１０１の一側面に設けた吐出口１１５とを備えている。
【０００５】
上記構成において、羽根車１０３が回転すると、吸込空気はグリル１１４からオリフィス１０９の開口部１０８を通り、吸込みケーシング１０７の吸込み口１０６より羽根車１０３に入り羽根車１０３により昇圧され、ケーシング１０５の内部を通り吐出口１１５より吐出される。このとき羽根車１０３で昇圧されるときに発生する回転騒音や、ケーシング１０５を通るときに発生する渦による乱流騒音や、ケーシング１０５内で発生した騒音の音波が吸込み口１０６から放射され、その一部は間隙１１２から共鳴空間１１３に入射する。入射した騒音の音波のうち、共鳴空間１１３の容積や形状によって特定される周波数の騒音の音波は、共鳴空間１１３内で気柱共鳴がおき、共鳴消音される。
【特許文献１】特許第３２７９８３４号公報
【発明の開示】
【発明が解決しようとする課題】
【０００６】
このような従来の遠心送風機では、遠心送風機の施工時に吐出口１１５に設置する排気ダクトの長さ等により遠心送風機の作動状態が変化し、発生する騒音の周波数特性が変化するため、騒音を共鳴消音するための最適な開口部径とならず、共鳴消音による騒音低減の効果が少なくなってしまうという課題があり、吸込み口１０６から発生する騒音の周波数特性に対し最適な開口部径を設定して共鳴消音の効果を高めることが要求されている。
【０００７】
また、吸込み口１０６の径と開口部径が同一であるほど共鳴消音の効果が高く、開口部径が吸込み口１０６の径に対して大きくなるほど共鳴消音の効果が低くなる性質を持つ反面、風量が多い場合は開口部径が小さくなるほどオリフィス１０９に接触する風の風速が高くなり、オリフィス１０９自体が騒音の発生源になるという課題があり、オリフィス１０９からの騒音発生を緩和させつつ極力開口部径の小さいオリフィス１０９で共鳴消音の効果を高め、騒音を低減することが要求されている。
【０００８】
本発明は、このような従来の課題を解決するものであり、オリフィスの開口部径が変更可能であり、吸込み口から放射される騒音の周波数特性に対し最適な開口部径を設定して共鳴消音の効果を高めることができ、オリフィス自体からの騒音発生を緩和させつつ極力開口部径の小さいオリフィスで共鳴消音の効果を高め、騒音を低減することができる遠心送風機を提供することを目的としている。
【課題を解決するための手段】
【０００９】
本発明の遠心送風機は上記目的を達成するために、開口を備えた外枠内に、回転軸を中心に回動可能に羽根車を連結した電動機と、羽根車の周囲を囲み吸込み口を有するケーシングと、外枠の開口と連通する開口部を有するオリフィスと、前記ケーシングの下端と前記オリフィスの端部との間に間隙部を備え、オリフィスにより形成される共鳴空間と間隙部により前記吸込み口から放出される騒音を共鳴消音する遠心送風機で、開口部径が変更可能であることを特徴とする遠心送風機としたものである。
【００１０】
この手段により、最適な開口部径に変更することにより、吸込み口から放射される騒音をオリフィスの消音効果により的確に低減することができ、オリフィス自体からの騒音発生を緩和させつつ極力開口部径の小さいオリフィスで共鳴消音の効果を高めることができ、騒音を低減することができる遠心送風機が得られる。
【００１１】
また他の手段は、開口部がベルマウス形状であることを特徴とする遠心送風機としたものである。
【００１２】
この手段により、空気を円滑にケーシングへ導くことができるため、騒音を低減することができる遠心送風機が得られる。
【００１３】
また他の手段は、開口部径が自動変更されることを特徴とする遠心送風機としたものである。
【００１４】
この手段により、遠心送風機の施工後であっても開口部径が自動的に変更されるため、遠心送風機から発生する騒音をオリフィスの消音効果により的確に低減することができ、オリフィス自体からの騒音発生を緩和させつつ極力開口部径の小さいオリフィスで共鳴消音の効果を高めることができ、騒音を低減することができる遠心送風機が得られる。
【００１５】
また他の手段は、遠心送風機の騒音の変化に対して、最適な開口部径に変更されることを特徴とする遠心送風機としたものである。
【００１６】
この手段により、遠心送風機のから発生する騒音の変化に対して、最適な開口部径に変更されるため、オリフィスによる消音効果が強く働き、騒音を低減することができる遠心送風機が得られる。
【００１７】
また他の手段は、遠心送風機の風量を測定する風量検知手段を備え、測定した風量に応じて開口部径が変更されることを特徴とする遠心送風機としたものである。
【００１８】
この手段により、風量に応じて開口部径を変更することで、風量が変化することによる騒音の変化に対して最適な開口部径に変更され、騒音を低減することができる遠心送風機が得られる。
【００１９】
また他の手段は、開口部から放射される騒音を測定する騒音検知手段を備え、測定される騒音値を最小とするように開口部径が変更されることを特徴とする遠心送風機としたものである。
【００２０】
この手段により、オリフィス自体から発生する騒音の緩和と、オリフィスによる強い消音効果を両立できる開口部径に変更されるため、騒音を低減することができる遠心送風機が得られる。
【００２１】
また他の手段は、羽根車の回転数を測定する回転数検知手段を備え、回転数に起因する騒音の周波数に対して、強い消音効果が働く開口部径に変更されることを特徴とする遠心送風機としたものである。
【００２２】
この手段により、開口部径を変更することにより、オリフィスによる消音効果が強く働く周波数を、回転数に起因する騒音の周波数に一致させることにより、消音効果が強く働き、騒音を低減することができる遠心送風機が得られる。
【００２３】
また他の手段は、オリフィスが、回転軸方向に伸びるオリフィス外壁を備え、前記外壁が開口部と同心円の円筒であることを特徴とする遠心送風機としたものである。
【００２４】
この手段により、間隙部とオリフィス外壁との距離が一定となるため、一つの周波数に対して強い消音効果が働き、騒音を低減することができる遠心送風機が得られる。
【００２５】
また他の手段は、電動機の出力を任意に変更することができ、出力の変更に応じて最適な開口部径に変更されることを特徴とする遠心送風機としたものである。
【００２６】
この手段により、遠心送風機の電動機の出力変更により、周波数特性が変化する騒音に対して、最適な開口部径に変更されるため、オリフィスによる消音効果が強く働き、騒音を低減することができる遠心送風機が得られる。
【００２７】
また他の手段は、施工時に開口部径を変更することができるつまみと、排気ダクトの長さに応じた最適な開口部径に設定するつまみの位置を記すラインを備える遠心送風機としたものである。
【００２８】
この手段により、施工者が容易に開口部径の設定を行うことができ、施工状態に対し最適な開口部径を設定することができるため、消音効果が強く働き、騒音を低減することができる遠心送風機が得られる。
【００２９】
また他の手段は、オリフィスが周方向に複数に分割され、分割されたオリフィス同士を離すようにスライド移動させると露出する延長部を備えることを特徴とする遠心送風機としたものである。
【００３０】
この手段により、様々な開口部径に細かく設定できるため、消音効果が強く働き騒音を低減することができる遠心送風機が得られる。
【００３１】
また他の手段は、ケーシングが渦巻き状のスクロールケーシングであることを特徴とする遠心送風機としたものである。
【００３２】
この手段により、羽根車から流出した空気の動圧が効率よく静圧に変換されて吐出し口から排出することができるため、騒音を低減することができる遠心送風機が得られる。
【発明の効果】
【００３３】
本発明によれば、開口部径が変更可能であり、吸込み口から放射される騒音の周波数特性に対し最適な開口部径を設定して共鳴消音の効果を高めることができ、オリフィス自体からの騒音発生を緩和させつつ極力開口部径の小さいオリフィスで共鳴消音の効果を高め、騒音を低減することができる遠心送風機を提供できる。
【発明を実施するための最良の形態】
【００３４】
本発明の請求項１記載の発明は、開口を備えた外枠内に、回転軸を中心に回動可能に羽根車を連結した電動機と、羽根車の周囲を囲み吸込み口を有するケーシングと、外枠の開口と連通する開口部を有するオリフィスと、ケーシングの下端と前記オリフィスの端部との間に間隙部を備え、前記オリフィスにより形成される共鳴空間と間隙部より吸込み口から放出される騒音を共鳴消音する遠心送風機で、開口部径が変更可能であることを特徴とする遠心送風機としたものであり、最適な開口部径に変更することにより、騒音の周波数特性に合わせた開口部径となるため、吸込み口から放射される騒音をオリフィスの消音効果により的確に低減することができ、オリフィス自体からの騒音発生を緩和させつつ極力開口部径の小さいオリフィスで共鳴消音の効果を高めることができ、騒音を低減することができるという作用を有する。
【００３５】
また、開口部がベルマウス形状であることを特徴とする遠心送風機としたものであり、空気を円滑にケーシングへ導くことができるため、空気の流れの乱れが抑制され、騒音を低減することができるという作用を有する。
【００３６】
また、開口部径が自動変更されることを特徴とする遠心送風機としたものであり、遠心送風機の施工後であっても開口部径が自動的に変更されるため、常に騒音の周波数特性に合わせた開口部径となり、遠心送風機から発生する騒音をオリフィスの消音効果により的確に低減することができ、オリフィス自体からの騒音発生を緩和させつつ極力開口部径の小さいオリフィスで共鳴消音の効果を高めることができ、騒音を低減することができるという作用を有する。
【００３７】
また、遠心送風機の騒音の変化に対して、最適な開口部径に変更されることを特徴とする遠心送風機としたものであり、遠心送風機のから発生する騒音の変化に対して、最適な開口部径に変更されるため、周波数特性が変化した騒音に対してもオリフィスによる消音効果が強く働き、騒音を低減することができるという作用を有する。
【００３８】
また、遠心送風機の風量を測定する風量検知手段を備え、測定した風量に応じて開口部径が変更されることを特徴とする遠心送風機としたものであり、風量に応じて開口部径を変更することで、風量が変化することによる騒音の周波数特性の変化に対して最適な開口部径に変更され、オリフィスによる消音効果が強く働くため、騒音を低減することができるという作用を有する。
【００３９】
また、開口部から放射される騒音を測定する騒音検知手段を備え、測定される騒音値を最小とするように開口部径が変更されることを特徴とする遠心送風機としたものであり、発生する騒音自体を最小とする開口部径にすることで、風量が多くなることによりオリフィス自体から発生する騒音の緩和と、周波数特性が変化した騒音に対してもオリフィスによる強い消音効果を両立できる開口部径に変更されるため、騒音を低減することができるという作用を有する。
【００４０】
また、羽根車の回転数を測定する回転数検知手段を備え、回転数に起因する騒音の周波数に対して、強い消音効果が働く開口部径に変更されることを特徴とする遠心送風機としたものであり、開口部径を変更することにより、オリフィスによる消音効果が強く働く周波数を、回転数に起因する騒音の周波数に一致させることにより、回転数に起因する騒音をオリフィスにより的確に低減することができ、騒音を低減することができるという作用を有する。
【００４１】
また、オリフィスが、回転軸方向に伸びるオリフィス外壁を備え、前記外壁が開口部と同心円の円筒であることを特徴とする遠心送風機としたものであり、間隙とオリフィス外壁との距離が一定となり、その距離によって決まる一つの周波数に対して強い消音効果が働き、騒音を低減することができるという作用を有する。
【００４２】
また、電動機の出力を任意に変更することができ、出力の変更に応じて最適な開口部径に変更されることを特徴とする遠心送風機としたものであり、遠心送風機の電動機の出力変更により、遠心送風機の風量が変化し、周波数特性が変化する騒音に対して、最適な開口部径に変更されるため、オリフィスによる消音効果が強く働き、騒音を低減することができるという作用を有する。
【００４３】
また他の手段は、施工時に開口部径を変更することができるつまみと、排気ダクトの長さに応じた最適な開口部径に設定するつまみの位置を記すラインを備える遠心送風機としたものであり、施工者がつまみをラインで示す位置に合わせるという容易な手順のみで開口部径の設定を行うことができ、施工状態に対し最適な開口部径を設定することができるため、消音効果が強く働き、騒音を低減することができるという作用を有する。
【００４４】
また他の手段は、オリフィスが周方向に複数に分割され、分割されたオリフィス同士を離すようにスライド移動させると露出する延長部を備えることを特徴とする遠心送風機としたものであり、スライド移動により開口部径は任意に設定できるため、様々な開口部径に細かく設定でき、発生する騒音の周波数特性に対して最適な開口部径に確実に設定できるため、消音効果が強く働き騒音を低減することができるという作用を有する。
【００４５】
また他の手段は、ケーシングが渦巻き状のスクロールケーシングであることを特徴とする遠心送風機としたものであり、羽根車から流出した空気の動圧が効率よく静圧に変換されて吐出し口から排出することができるため、空気の流れの乱れが抑制され、騒音を低減することができるという作用を有する。
【００４６】
以下、本発明の実施の形態について図面を参照しながら説明する。
【００４７】
（実施の形態１）
本発明の実施の形態１を図１及び図２を用いて説明する。
【００４８】
図１に示すように、天井埋込型換気扇として用いられる遠心送風機１は、下面に開口２を備えた外郭３内に、回転軸４を中心に回動可能に多翼型の羽根車５を連結した電動機６と、羽根車５の周囲を囲み、開口にベルマウス状の吸込み口７と側壁８に吐出口９を有するケーシング１０を備えており、ケーシング１０は渦巻き状のスクロールケーシングである。ケーシング１０の吐出口９は外郭３の一側面に設けられた吐出開口１１を介して、吐出アダプタ１２と連通している。外郭３の下面の外周にはフランジ部１３があり、フランジ部１３に備えた穴１４を通して、ねじ等で天井材１５に外郭３が固定され、天井に配され屋外に連通する排気ダクト１６が、吐出アダプタ１２を介して吐出口９に接合されている。
【００４９】
また、ケーシング１０の吸込み口７と同心円でベルマウス状の開口部１７を備えるオリフィス１８が、外郭３の開口２を塞ぐように配置されており、ケーシング１０とオリフィス１８と外郭３で囲まれる共鳴空間１９を形成している。また、オリフィス１８の端部２０はケーシング１０の下面から間隙寸法ｊを隔てて位置して間隙部２１を形成している。
【００５０】
また、図２を用いてオリフィス１８の詳細を説明する。図２に示すように、オリフィス１８はベルマウス形状の開口部１７を含む可動部２２が周方向に４つに等分割されており、可動部２２は延長部２３を備えており、スライド移動させることにより、分割された可動部２２の間を埋めるように延長部２３が露出する。スライド移動は、風量検知手段２４、例えば風量センサーで測定された風量値に応じて行われ、スライド移動距離だけ開口部径Ｄｏが図２（ａ）から図２（ｂ）へと自動的に変更される。なお、スライド移動自体は、風量検知手段２４からの信号によって作動する動力部２５、例えば小型モーター、及び、動力部２５により作動する移動機構部２６によって、分割された可動部２２を開口部の径方向へスライド移動させることによって行われる。
【００５１】
上記構成において、電動機６により羽根車５が回転すると、吸込空気は本体開口２からオリフィス１８の開口部１７を通り、ケーシング１０の吸込み口７より羽根車５に入り、羽根車５により昇圧され、ケーシング１０の内部を通り、吐出アダプタ１２より排気ダクト１６に吐出され、屋外に排出される。
【００５２】
さらに、羽根車５で昇圧されるときに発生する回転騒音や、ケーシング１０の内部を通るときに発生する渦による乱流騒音や、ケーシング１０内で共鳴により増幅された騒音の音波が、吸込み口７から下方に放射されるが、ケーシング１０の吸込み口７から放射された騒音の音波の一部はオリフィス１８の端部２０とケーシング１０との間で構成される間隙部２１から共鳴空間１９へ入射する。入射した音波の一部は共鳴空間１９内部の壁面での固定端反射によって逆位相音波となり間隙部２１へ戻り、吸込み口７から放射される音波の一部を打ち消す気柱共鳴による共鳴消音が起こるため、騒音を低減することができる。また、開口部径Ｄｏが吸込み口径Ｄｉに近いほど、共鳴消音による騒音の低減効果は高くなる。
【００５３】
なお、排気ダクト１６により、遠心送風機１に圧損がかかり、動作時の風量が決まるため、遠心送風機１の施工状態により作動時の風量は様々である。
【００５４】
また、電動機６は出力を任意に変更することが可能であり、遠心送風機１の風量を任意に変更することができる。この時、オリフィス１８は電動機６の出力の変更と同時に開口部径Ｄｏが変更される。
【００５５】
この時、吸込み口７から放射される騒音は、排気ダクト１６の圧損により決まる風量等によりその周波数特性が左右され、吸込み口７から放射される騒音の周波数特性は変化する。さらに、風量が多くなると、オリフィス１８に高風速の風が接触しオリフィス１８自体から発生する騒音が大きくなり、放射される騒音に加わる等の現象が起こる。よって、遠心送風機１に対応した最適な開口部径Ｄｏに変更することにより、騒音の周波数特性に合わせて開口部径Ｄｏを変更することで、吸込み口７から放射される騒音をオリフィス１８の消音効果により的確に低減し、さらに、オリフィス１８自体からの騒音発生を緩和させつつ極力開口部径Ｄｏの小さいオリフィス１８で共鳴消音の効果を高めることができ、消音効果が強く働くため、騒音を低減できる。
【００５６】
また、開口部１７がベルマウス形状であるため、ケーシング１０への空気の流入を円滑化でき、騒音を低減することができる。
【００５７】
また、開口部径Ｄｏは自動的に変更されるため、施工後であっても常に消音効果が強く働く開口部径Ｄｏへと変更されるため、騒音を低減することができる。
【００５８】
また、風量検知手段２４で測定した風量に応じて開口部径Ｄｏを変更することで、風量が変化することによる騒音の変化に対して最適な開口部径Ｄｏに変更されるため消音効果が強く働き、騒音を低減することができる。
【００５９】
また、電動機６の出力の変更に応じて最適な開口部径Ｄｏに変更されるため、出力の変更により周波数特性が変化する騒音に対して、最適な開口部径に変更されるため、オリフィスによる消音効果が強く働き、騒音を低減することができるという作用を有する。
【００６０】
また、ケーシング１０が渦巻き状のスクロールケーシングであるため、羽根車５から流出した空気の動圧が効率よく静圧に変換されて吐出口９から排出することができるため、騒音を低減することができる。
【００６１】
（実施の形態２）
実施の形態１と同一部分は同一番号を附し、詳細な説明は省略する。本発明の実施の形態２を図３を用いて説明する。図において、遠心送風機１はマイクロホン等の騒音検知手段２７を備え、騒音検知手段２７で測定される騒音値を最小値にするように開口部径Ｄｏが変更される。
【００６２】
このとき、オリフィス１８自体からの騒音の発生を緩和させつつ、さらにオリフィス１８による消音効果を両立することができる開口部径Ｄｏに調整されるため、騒音を低減できる。
【００６３】
（実施の形態３）
実施の形態１と同一部分は同一番号を附し、詳細な説明は省略する。本発明の実施の形態３を図４を用いて説明する。図において、オリフィス１８は羽根車５の軸方向に伸びるオリフィス外壁２８を備えており、オリフィス外壁２８は、吸込み口７と同心円の円筒である。また、回転数検知手段２９、例えば回転計を備え、回転数検知手段２９からの信号によって、開口部径Ｄｏが変更される。また、ケーシングの一部である舌部３０は羽根車５のブレードの直近に位置している。
【００６４】
上記構成において、羽根車５が回転し、ブレードにより風が輸送される際、ブレードの直近に舌部３０が存在するため、急激な圧力変動が起こり、回転数に起因する周波数の騒音が大きくなる場合がある。
【００６５】
このとき、回転数検知手段２９からの信号により開口部径Ｄｏを変更するときに、オリフィス１８による消音効果が高くなる周波数と、羽根車５の回転数に起因する騒音の周波数とを一致させることによって、消音効果が強く働くため、騒音を低減できる。
【００６６】
さらに、オリフィス外壁２８が吸込み口７と同心円の円筒であるため、間隙部２１とオリフィス外壁２８との距離が一定であるため、特定の周波数に対する消音効果が高くなり、騒音を低減できる。
【００６７】
（実施の形態４）
実施の形態１と同一部分は同一番号を附し、詳細な説明は省略する。本発明の実施の形態４を図５を用いて説明する。図において、遠心送風機１はオリフィスの開口部径Ｄｏが変更可能であり、遠心送風機１の施工時に、施工者が開口部径Ｄｏの設定を行うことができるように、開口部径Ｄｏを変更することができるつまみ３１を備えている。また、施工時に取付ける排気ダクト１６の長さに対し、最適な開口部径Ｄｏを設定できるつまみ３１の位置を示した印３２を備えている。
【００６８】
このとき、施工者が遠心送風機１の施工時に取付けた排気ダクト１６の長さに応じて、つまみ３１を印３２で示す位置に変更することにより、最適な開口部径Ｄｏに変更されるため、騒音を低減することができる。
【産業上の利用可能性】
【００６９】
本発明は、開口部径が変更可能であり、吸込み口から発生する騒音の周波数特性に対し最適な開口部径を設定して共鳴消音の効果を高めることができ、オリフィスによる圧損の増加を緩和させつつ極力開口部径の小さいオリフィスで共鳴消音の効果を高め、騒音を低減することができる遠心送風機を提供するものであり、特に空調機器や換気送風機器に利用可能である。
【図面の簡単な説明】
【００７０】
【図１】本発明の実施の形態１の遠心送風機を示す図（（ａ）側断面図、（ｂ）平面図）
【図２】本発明の実施の形態１のオリフィスを示す斜視図（（ａ）開口部径変更前、（ｂ）開口部径変更後）
【図３】本発明の実施の形態２の遠心送風機を示す図（（ａ）側断面図、（ｂ）平面図）
【図４】本発明の実施の形態３の遠心送風機を示す図（（ａ）側断面図、（ｂ）平面図）
【図５】本発明の実施の形態４の遠心送風機を示す図（（ａ）側断面図、（ｂ）平面図）
【図６】従来の遠心送風機とを示す側断面図
【符号の説明】
【００７１】
１    遠心送風機
２    開口
３    外郭
４    回転軸
５    羽根車
６    電動機
７    吸込み口
８    側壁
９    吐出口
１０  ケーシング
１１  吐出開口
１２  吐出アダプタ
１３  フランジ部
１４  穴
１５  天井材
１６  排気ダクト
１７  開口部
１８  オリフィス
１９  共鳴空間
２０  端部
２１  間隙部
２２  可動部
２３  延長部
２４  風量検知手段
２５  動力部
２６  移動機構部
２７  騒音検知手段
２８  オリフィス外壁
２９  回転数検知手段
３０  舌部
３１  つまみ
３２  印
Ｄｉ  吸込み口径
Ｄｏ  開口部径
【図１】
2010090767.tif 000003
【図２】
2010090767.tif 000004
【図３】
2010090767.tif 000005
【図４】
2010090767.tif 000006
【図５】
2010090767.tif 000007
【図６】
2010090767.tif 000008